(57)【要約】【課題】継部材の撓み剛性を確保し易いインロー継合構造を有する釣竿を提供する。【解決手段】前後の竿杆１０，２０がインロー継合用継部材３０によって継ぎ合わせされており、該継部材は、該継部材の長手方向に指向した強化繊維を有する繊維強化合成樹脂材から成る２以上の層３０Ａ，３０Ｂ，３０Ｃを有する部材であり、該継部材につき、長手方向指向の強化繊維を有する所定の内側層３０Ａと所定の外側層３０Ｂとを比較すると、該外側層の方が長手方向指向の強化繊維について、密度が高いと共に縦弾性率の大きさは同等以上であって、該外側層は該継部材の一端３０Ｅ１側から他端３０Ｅ２側に連続して設ける。【選択図】図２
2011109994.tif 000002
【特許請求の範囲】
【請求項１】
前後の竿杆がインロー継合用継部材によって継ぎ合わせされており、該継部材は、該継部材の長手方向に指向した強化繊維を有する繊維強化合成樹脂材から成る２以上の層を有する部材であり、
該継部材につき、長手方向指向の強化繊維を有する所定の内側層と所定の外側層とを比較すると、該外側層の方が長手方向指向の強化繊維について、密度が高いと共に縦弾性率の大きさは同等以上であって、該外側層は該継部材の一端側から他端側に連続して設けられている
ことを特徴とするインロー継合構造を有する釣竿。
【請求項２】
前記内側層は、継部材の中心軸線を含む位置にあって、強化繊維又は強化繊維束を引き揃えて合成樹脂材を含浸させて成形したソリッド状の芯部であり、前記外側層はプリプレグシートを巻回して成形した層である請求項１記載のインロー継合構造を有する釣竿。
【請求項３】
前記継部材は、前記外側層の更に外側であって、プリプレグシートによって成形された強化繊維を有する最外層として強化繊維が継部材の中心軸線に対して１５度以上傾斜する傾斜層を具備し、該傾斜層は継部材の一端側から他端側に連続して設けられている請求項１又は２記載のインロー継合構造を有する釣竿。
【請求項４】
前後の竿杆がインロー継合用継部材によって継ぎ合わせされており、該継部材は、該継部材の長手方向に指向した強化繊維を有する繊維強化合成樹脂材から成ると共に、該継部材の中心軸線を含む位置にあるソリッド状の芯部を有し、該芯部は長手方向に引き揃えた強化繊維に合成樹脂材を含浸させて焼成し、該芯部の前記長手方向指向の強化繊維は、該継部材の中心軸線位置から径方向外側に行くに従って、密度が高くなると共に縦弾性率の大きさは同等以上であり、該芯部は該継部材の一端側から他端側に連続して設けられていることを特徴とするインロー継合構造を有する釣竿。
【請求項５】
前記継部材は、前記芯部の外側であって、プリプレグシートによって成形された強化繊維を有する層として強化繊維が継部材の中心軸線に対して１５度以上傾斜する傾斜層を具備し、該傾斜層は継部材の一端側から他端側に連続して設けられている請求項４記載のインロー継合構造を有する釣竿。
【発明の詳細な説明】
【技術分野】
【０００１】
本発明は、継式釣竿に関し、特にインロー継合構造を有する釣竿に関する。
【背景技術】
【０００２】
継ぎ合わせ対象の前後竿杆の外径を同じにできる等のメリットのため、従来から、インロー継合構造を採用した釣竿が使用されている。こうしたインロー継合式釣竿やインロー継部材に関する出願が下記のように見られる。
【特許文献１】特開２０００−２７９０６３号公報
【特許文献２】特開２０００−３００１２３号公報
【特許文献３】特開２００３−２５０３９６号公報
【特許文献４】特開２００４−２５４６５０号公報
【発明の開示】
【発明が解決しようとする課題】
【０００３】
然しながら、インロー継合構造では、そのインロー継合用の継部材自体は一般に前後の竿杆の外径よりも一段と細径であるため、この場合、釣竿の一部としての撓み剛性の確保が担保し難い。また、捩じり剛性についても同様である。
依って解決しようとする課題は、継部材の撓み剛性を確保し易いインロー継合構造を有する釣竿を提供することである。また、捩じり剛性も確保したインロー継合構造を有する釣竿を提供する。
【課題を解決するための手段】
【０００４】
上記課題に鑑みて第１の発明は、前後の竿杆がインロー継合用継部材によって継ぎ合わせされており、該継部材は、該継部材の長手方向に指向した強化繊維を有する繊維強化合成樹脂材から成る２以上の層を有する部材であり、該継部材につき、長手方向指向の強化繊維を有する所定の内側層と所定の外側層とを比較すると、該外側層の方が長手方向指向の強化繊維について、密度が高いと共に縦弾性率の大きさは同等以上であって、該外側層は該継部材の一端側から他端側に連続して設けられていることを特徴とするインロー継合構造を有する釣竿を提供する。
密度の低い方は、密度０も含まれるものとする。
【０００５】
第２の発明では、第１の発明の前記内側層は、継部材の中心軸線を含む位置にあって、強化繊維又は強化繊維束を引き揃えて合成樹脂材を含浸させて成形したソリッド状の芯部であり、前記外側層はプリプレグシートを巻回して成形した層であるよう構成する。
第３の発明では、第１又は第２の発明の前記継部材は、前記外側層の更に外側であって、プリプレグシートによって成形された強化繊維を有する最外層として強化繊維が継部材の中心軸線に対して１５度以上傾斜する傾斜層を具備し、該傾斜層は継部材の一端側から他端側に連続して設けられているよう構成する。
【０００６】
第４の発明では、前後の竿杆がインロー継合用継部材によって継ぎ合わせされており、該継部材は、該継部材の長手方向に指向した強化繊維を有する繊維強化合成樹脂材から成ると共に、該継部材の中心軸線を含む位置にあるソリッド状の芯部を有し、該芯部は長手方向に引き揃えた強化繊維に合成樹脂材を含浸させて焼成し、該芯部の前記長手方向指向の強化繊維は、該継部材の中心軸線位置から径方向外側に行くに従って、密度が高くなると共に縦弾性率の大きさは同等以上であり、該芯部は該継部材の一端側から他端側に連続して設けられていることを特徴とするインロー継合構造を有する釣竿を提供する。
【０００７】
第５の発明では、第４の発明の前記継部材は、前記芯部の外側であって、プリプレグシートによって成形された強化繊維を有する層として強化繊維が継部材の中心軸線に対して１５度以上傾斜する傾斜層を具備し、該傾斜層は継部材の一端側から他端側に連続して設けられているよう構成する。
【発明の効果】
【０００８】
第１の発明では、継部材は外側層に対して、内側層よりも縦弾性率の大きさが同等以上の強化繊維の密度を高く配設しているため、継部材の撓み剛性を向上させる設計が容易になる。
第２の発明は、第１の発明の１つの形態の開示である。
第３の発明では、強化繊維を有する最外層として傾斜層を設けているため、捩じり荷重に対抗する捩じり剛性を担保可能である。また、継部材は前後の何れかの竿杆に対しては接着等で固定しているが、他方に対しては差し込んで継ぎ合わせるため、釣竿使用中に抜け難い必要がある。最外層が長手方向指向の強化繊維層の場合と比較すれば、傾斜層では円周方向指向成分強化繊維を有するため、引っ掛かって抜け難い。また、最外層が長手方向指向の強化繊維層の場合と比較すれば、繰り返される抜き差し操作による継部材表面のささくれを防止できる。なお、最外層が円周方向指向の強化繊維層の場合と比較すれば、差し込みの操作も円滑に行える。
【０００９】
第４の発明では、芯部の長手方向指向強化繊維の密度が漸次変化し、径方向外側ほど密度が高くなる形態であり、第１の発明と同様な作用効果がある。
第５の発明では、第３の発明と同様な作用効果がある。
【発明を実施するための最良の形態】
【００１０】
以下、本発明を添付図面を用いて更に詳細に説明する。図１は本発明に係る釣竿の一例としてのルアーロッドの側面図、図２は図１のＢ部の拡大縦断面図である。エポキシ樹脂等のマトリックス樹脂を炭素繊維等の強化繊維で強化した繊維強化樹脂製の竿杆１０，２０を使用している。中空状の元竿１０の前端部には、該元竿先端部の内径と実質同じ外径の繊維強化樹脂製の継部材３０の後部を挿入し、接着等で固定している。該継部材はその先部を除き、全体が概ね同一径の棒状部材である。
【００１１】
また、元竿の後部にはグリップ部ＧＲが設けられており、このグリップ部の直前位置にリール（この例ではスピニングリール）Ｒを装着固定するリール装着部ＲＳが設けられている。
一方、前記継部材３０の先方部３０Ｓは先細り状に形成されており、この先方部を含む先部が先竿２０の後端部に挿入されて前後の竿杆１０，２０が継ぎ合わされる。
【００１２】
継部材３０は、中心軸線ＣＬを中心軸線としたソリッド状の芯部３０Ａを有し、その直ぐ外側には、プリプレグシートを巻回して形成され、長手方向に指向した強化繊維を主体とする軸長方向層３０Ｂを設け、更にその直ぐ外側には、プリプレグシートを巻回して形成され、主に強化繊維が傾斜方向に指向した傾斜層３０Ｃを有している。芯部３０Ａは、炭素繊維やガラス繊維を長手方向に引き揃えたり、これらの引き揃え強化繊維束を束ねたりしたものに、エポキシ樹脂等の合成樹脂を含浸させて加熱成形する。軸長方向層３０Ｂは、芯部に使用の炭素繊維と同等以上の縦弾性率を有する炭素繊維を長手方向に指向させており、しかも、その炭素繊維の密度は、芯部よりも高い。
【００１３】
この形態例では、軸長方向層に使用したプリプレグシートにはガラススクリムシート（織布）の裏打ちがあるが、これを炭素繊維の裏打ちにしてもよく、また、裏打ち無しの、炭素繊維の単純な引き揃えプリプレグシートでもよい。更には、軸長方向層３０Ｂは継部材３０の一端３０Ｅ１又はその近傍から、他端３０Ｅ２又はその近傍まで亘っている。
【００１４】
また、傾斜層３０Ｃは、適宜な縦弾性率の炭素繊維を、中心軸線ＣＬの方向に対して４５度方向に指向させ、同じ炭素繊維を同じ量−４５度の方向に指向させ、中心軸線ＣＬの方向に対して、実質的に力学的に対称になるように形成している。その形態としては、織布に形成したプリプレグシートを巻回したり、一方向引き揃えのプリプレグシートの一方を４５度方向に指向させ、他方を−４５度方向に指向させ、これらを上下に重ね合わせたりする。勿論、傾斜角度は４５度に限らず、１５度以上の範囲で適宜選択できる。
上記形態例において傾斜層に使用したプリプレグシートにはガラススクリムシートの裏打ちがあるが、これを炭素繊維の裏打ちにしてもよく、また、裏打ち無しの、炭素繊維の引き揃えプリプレグシートでもよい。更には、傾斜層３０Ｃは継部材３０の一端３０Ｅ１又はその近傍から、他端３０Ｅ２又はその近傍まで亘っている。
【００１５】
上記軸長方向層３０Ｂの存在で、前後の竿杆１０，２０に対して一段と細径である露出している部分の継部材３０が効果的に撓み剛性を向上できる。また、強化繊維の層の最外層である傾斜層３０Ｃの存在により、効果的に捩じり剛性を担保できる。更には、軸長方向層３０Ｂと傾斜層３０Ｃの径方向位置を入れ替えることもできる。また、芯部３０Ａに代わって、強化繊維が長手方向指向のプリプレグシート（裏打ちの有無は問わない）の巻装による１又は複数層で構成してもよく、この場合も、継部材３０の適宜な位置の内側層に対して、この内側層よりも外側の層であって、適宜な位置の外側層（例えば、図２の位置の軸長方向層３０Ｂ）において、炭素繊維の密度が高い層が存在する。こうして、３層以上の層数の軸長方向層が存在する場合、外側へ行くほど縦弾性率が同等以上であって、繊維密度が高いことが好ましい。なお、請求項１の観点からは、継部材３０は中心軸線を含む中心部領域が空洞でもよい。
【００１６】
また、芯部３０Ａは強化繊維を含まない合成樹脂で形成したり、指向方向が周方向等の長手方向以外の方向に指向していてもよく、この場合は、軸長方向層３０Ｂ以外にもどこかに他の軸長方向層が存在し、相対的に内側の層よりも外側の層が、内側の層に使用の炭素繊維と同等以上の縦弾性率を有する炭素繊維を長手方向に指向させており、しかも、その炭素繊維の密度は、内側の層よりも高い。
【００１７】
元竿１０は、その長さの概ね全長に亘る内層１０Ａとその外側にある外層１０Ｂとを有しており、図２に示すように、その先端部近くの領域においては、先端から、継部材３０が挿入接着固定されている後端位置を幾分越える範囲にまで亘って２つの層１０Ａ，１０Ｂの間に、他の層１０Ｃが配設されている。層１０Ａ，１０Ｂは強化繊維としての炭素繊維が竿杆の長手方向に指向するようにプリプレグシートを巻回して形成している。この形態例のプリプレグシートはガラス繊維によるスクリムシートの裏打ちを有しているが、ガラス繊維に代えて炭素繊維でもよく、また裏打ちが無くてもよい。
【００１８】
更には、この形態例では１枚のプリプレグシートによって層１０Ａと層１０Ｂとを連続巻回形成しているが、別々のプリプレグシートで形成してもよい。他の層１０Ｃはプリプレグシートによって形成され、主たる強化繊維が傾斜方向に指向している。この傾斜層１０Ｃについての詳細は、長さや厚さを除いて、継部材３０の傾斜層３０Ｃにおいて説明した事項が適用できる。また、元竿１０の先端近くの領域、即ち、継部材３０が挿入されている長さ範囲内の領域の外周１０Ｓは先細状に形成されており、釣竿が撓んだ際、元竿先端位置における継部材３０への応力集中を防止している。先竿２０の後端近くは、元竿先端位置と同等の径又はより小径にして、撓み剛性を同等か小さくなるように設計する。継部材３０の挿入されている先竿領域外周を、元竿先部領域と同様に竿端に向かって漸次細径化させてもよい。
【００１９】
先竿２０の層２０Ａ，２０Ｂ，２０Ｃに対する説明事項は、夫々、元竿の各層１０Ａ，１０Ｂ，１０Ｃの説明事項と同様であり、異なるのは、元竿の先側が先竿の後側に対応し、また、この形態例では、先竿２０の後端近くの領域は後細状には形成されていないことである。
このように、元竿１０の先端近くの領域と先竿２０の後端近くの領域に傾斜層を設けているため、元竿と先竿との継ぎ合わせを解除する際に、一方の手で元竿１０の先端部近くを握り、他方の手で先竿２０の後端部近くを握って捩じりながら、両竿杆を引き離す操作の際に、各竿杆に発生する捩じり荷重に対抗できる。
【００２０】
図３は本発明に係る他の形態の釣竿の要部縦断面図を示し、図２に対応する図である。図２の場合と異なる事項を説明する。この形態例では図２の場合の軸長方向層３０Ｂが無く、また、芯部の構造が異なる。即ち、芯部３０Ａ’は強化繊維としての炭素繊維が長手方向に引き揃えられており、全て芯部の中では同じ縦弾性率を有しており、その集積密度は、中心軸線ＣＬの位置が最も低く、径方向外側に行くに従って漸次密度が高くなっている。従って、前後の竿杆１０，２０に対して一段と細径である露出している部分の継部材３０が効果的に撓み剛性を向上できる。
【００２１】
また、芯部３０Ａ’と傾斜層３０Ｃの間、又は傾斜層３０Ｃの外側に、図２の軸長方向層３０Ｂと同様な軸長方向層を設けてもよい。この場合、継部材３０中において、この新たに設けた軸長方向層の長手方向指向の炭素繊維の密度が最も高いことが好ましいが、これに限らず、芯部３０Ａ’の外周付近の密度の方が高くてもよい。
更には、以上の形態例と異なり、継部材３０を前側竿杆に挿入接着固定させ、これに対して後側竿杆を抜き差しするように構成してもよい。
【産業上の利用可能性】
【００２２】
本発明は、ルアーロッドやフライロッドやへら竿等のインロー継合部分を有する継式釣竿に利用できる。
【図面の簡単な説明】
【００２３】
【図１】図１は本発明に係る釣竿の側面図である。
【図２】図２は図１のＢ部の拡大縦断面図である。
【図３】図３は本発明に係る他の形態の釣竿の要部縦断面図である。
【符号の説明】
【００２４】
１０                        元竿
２０                        先竿
３０                        継部材
３０Ａ                      芯部
３０Ｂ                      軸長方向層
３０Ｃ                      傾斜層
【図１】
2011109994.tif 000003
【図２】
2011109994.tif 000004
【図３】
2011109994.tif 000005